(57)【特許請求の範囲】
【請求項１】
パイプ拡張用の機械であって、拡張マンドレルと、パイプ中で拡張マンドレルを引く又は押すための駆動ユニットと、を備える機械フレームを備えており、前記機械（１）は、少なくとも１つのモータ駆動ドラム（１１）、及び、前記ドラムの出口から水平方向に前記パイプに向かって前方に延びるベルトガイド又はワイヤガイド（８）、を有する少なくとも１つの駆動ユニット（７）を備えており、前記ドラムが、前記パイプ中に拡張マンドレル（２１）を有するベルト又はワイヤを押す又は引くことにさらに適している、機械であって、前記拡張マンドレル（２１）が拡張可能であること、及び、前記ドラム（１１）が、２つの側プレート（１３）と、当該２つの側プレートの間に配置され外周に前記ベルト又はワイヤが巻かれる輪状のハブ（１４）と、前記ハブを前記側プレート間で回転可能に保持する円形案内路（１５）を備えており、前記ハブの内周に設けられた歯付きリム（１８）と係合して配列される１つの駆動ギアホイール（１６、Ｄ）及び少なくとも２つのアイドリングギアホイール（１７、Ｍ）を備えていること、及び、前記ドラムの前記円形案内路が、前記ドラムの側プレート同士の間で前記ハブの外周に沿って円形に配置されるベアリング（２０）によって形成されること、を特徴とする機械。 
【請求項２】
請求項１に記載の機械において、前記駆動ユニット（７）が、前記側プレート（９）同士の間に並んで配置された複数のドラム（１１）を備えていること、及び、各前記ドラムが、各ドラム用の個別のモータ（１０）及びベルトガイド又はワイヤガイド（８）に接続されていること、を特徴とする機械。 
【請求項３】
請求項２に記載の機械において、各モータ（１０）が、前記駆動ユニットの前記側プレート同士の間で延びるシャフト（１２）であって、１つの駆動ギアホイール（１６、Ｄ）と堅固に係合するとともに複数のアイドリングギアホイール（１７、Ｍ）とゆるく係合するシャフト（１２）を駆動することを特徴とする機械。 
【請求項４】
請求項２又は３に記載の機械において、ベルトガイド又はワイヤガイドを有する前記ドラム同士の間の相互の距離が調整可能であることを特徴とする機械。 
【請求項５】
請求項１〜４のいずれか１項に記載の機械において、当該機械は２つの駆動ユニットを備えており、前記駆動ユニットは、鏡面反転するように構成されており、前記機械に水平に設けられたキャリッジ（５）上で垂直姿勢で並んで配置されていることを特徴とする機械。 
【請求項６】
請求項１に記載の機械において、前記拡張マンドレル（２１）が、中心円錐部（２４）を取り囲んでおり前記拡張マンドレルの遠位端部で拡張可能な少なくとも３つのシェル部分（２３）から構成される拡張ボール（２２）を備えており、前記円錐部は前記ベルト又はワイヤに接続された中心部材（２５）の先端に連結されていること、及び、前記シェル部分が、所定の位置に当該シェル部分を維持するばね（２６）によってさらに取り囲まれていること、を特徴とする機械。 
【請求項７】
請求項６に記載の機械において、前記拡張マンドレルは、軸受けブシュを有する円筒部材（２８）を介して前記拡張マンドレルの最先端に設けられたエンドナット（３０）の方へ前記拡張ボール（２２）を付勢する反対圧力ばね（２７）と、当該反対圧力ばねの端部に当接するストップブシュ（２９）と、をさらに備えることを特徴とする機械。 
【請求項８】
請求項７に記載の機械において、前記エンドナット（３０）は、丸い側面と、前記拡張ボール（２２）側に向いた係合面（３１）と、を有するように構成されるとともに、前記シェル部分の形状に適合する軸受けブシュとして構成されており、及び、前記拡張ボールの拡張の度合いを制限する１以上の調整ディスク（３３）を受け入れる凹部（３２）を備えることを特徴とする機械。 
【発明の詳細な説明】
【技術分野】
【０００１】
本発明は、パイプ拡張用の機械に関し、特に、熱交換器のパイプ拡張用の機械に関し、当該機械は、拡張マンドレルと、パイプ中で拡張マンドレルを押す又は引くための駆動ユニットと、を有する機械フレームを備えており、前記機械（１）はさらに、少なくとも１つのモータ駆動ドラム（１１）、及び、ドラムの出口から水平方向にパイプに向かって前方に延びるベルトガイド又はワイヤガイド（８）、を有する少なくとも１つの駆動ユニット（７）を備えており、前記ドラムは、駆動ユニットの側プレート（９）同士の間に配置されており、ベルト又はワイヤを有しており、及び、パイプ中に拡張マンドレルを有するベルト又はワイヤを押す又は引くようにさらに構成されている。
【背景技術】
【０００２】
日本国特開２０００−３０１２７１号公報は熱交換器のパイプ拡張用の機械システムを開示している。当該機械は、パイプ中で拡張マンドレルを押すことによって熱交換器のパイプを拡張する。
【０００３】
日本国特開昭５９−０１０４２７号公報はまた熱交換器のパイプ拡張用の拡張システムを開示している。同公報にはまた、パイプが、Ｕ字形の形状を有するように形成されること、及び、拡張マンドレルがパイプの開放端内に押し込まれること、が示されている。
【０００４】
パイプ中で拡張マンドレルを押すことの欠点の１つは、パイプが、その径を増大させると長手方向に収縮することであり、このことは、熱交換器の端部のＵ字形の位置が異なることを意味している。これは、厚さを含むパイプの寸法が完全に同一でないという事実によって引き起こされる。
【０００５】
欠点のもう１つは、特に、製造の理由のために同時に大量のパイプを拡張することが要求される場合に、圧力ロッドによって拡張マンドレルを前進させる際にパイプの拡張のために比較的大きな力を作用させなければならないことである。
【０００６】
日本国特開２００１−１０５０６０号公報はパイプ拡張用の機械を説明している。当該機械は、パイプ中で引かれる拡張マンドレルを有している。機械は、拡張マンドレルに固定されるワイヤを有するドラムを有する駆動ユニットを備えている。拡張ドラムは拡張可能ではないので、マンドレルに結合される前に、及び、堅いマンドレルがパイプ中で引かれる前に、ワイヤはパイプ中を通り抜けなければならない。この機械は、同時に大量のパイプを拡張することに適していない。
【発明の概要】
【０００７】
本発明の目的は、上述の欠点を改善する、冒頭部分で説明したタイプの機械を提供することである。
【０００８】
本発明のさらなる目的は、小型で大きな生産能力を有するように機械を構築することを保証する解決策を提供することである。
【０００９】
上述の目的は、請求項１の前置部分で説明する機械によって実現され、前記機械は、その間に少なくとも１つのモータ駆動ドラムが配置される１セットの側プレートを備える少なくとも１つの駆動ユニットを備えるように構成されており、前記ドラムは、ベルト又はワイヤ、及び、ドラムの出口から水平方向にパイプに向かって前方に延びるベルトガイド又はワイヤガイド、を備えており、前記ドラムは、パイプ中で拡張可能な拡張マンドレルを備えるベルト又はワイヤを押す又は引くようにさらに構成されている。
【００１０】
この駆動ユニットによれば、最初に、拡張していないマンドレルを拡張の始点までパイプ内に導入して、その後、引くことによってマンドレル及び従ってパイプを拡張することによって、パイプを拡張することができる。
【００１１】
マンドレルは、モータ駆動ドラムから巻き解かれたベルト又はワイヤとともにパイプ内に導入される。導入時、マンドレルの径は、その径がパイプの内径よりも小さくなるように減少させられる。パイプの導入開口部は、マンドレルが引き戻される際にパイプ用の止め具を形成するベルトガイド又はワイヤガイドに係合する。マンドレルは、駆動ユニットのドラムの回転の方向を逆にすることによって引き戻される。引くことによってマンドレルを開かせ、その結果、マンドレルはパイプを拡張させる。圧力による拡張の場合に比べて、引くことによる拡張にはほとんど作業を必要としないことが分かる。
【００１２】
引くことによってパイプを拡張することによって、パイプの拡張によって生じるパイプの長さの収縮が開放したパイプの端部で生じることを保証する。そして、パイプの端部を同じ長さまで切断しても問題はなく、又は、パイプが不規則に収縮するようにパイプの端部に反対圧力を作用させても問題はない。
【００１３】
駆動ユニットは、さらなるドラム及びドラムガイドを備えてよく、それによって、１工程でさらなるパイプの拡張を可能にする。
【００１４】
請求項１の特徴部分に記載するように、拡張マンドレルは拡張可能であり、及び、モータ駆動ドラムは、２つの側プレート、ハブ及び円形案内路を備えるように構成されており、前記ハブは、１つの駆動ギアホイールと、前記ハブの歯付きリム内に及び歯付きリムと係合して配列される少なくとも２つのアイドリングギアホイールと、を備えており、ドラムの前記円形案内路は、ドラムの側面同士の間の円内で両側面の最外リムに沿って配置された複数のベアリングによって形成される。
【００１５】
これによって、パイプ内への拡張マンドレルの導入のためにドラムからベルト又はワイヤを巻き解いて、その後にベルト又はワイヤを巻き上げることによってマンドレルを引き戻すことが可能である。これに関連して、ドラムの円形案内路は、案内路のベアリングがルートに沿ってベルト又はワイヤを支持する際に、ベルト又はワイヤを巻き解いてパイプ内に導入することを可能にする手段である。
【００１６】
請求項２に記載するように、駆動ユニットは、当該駆動ユニットの側プレート同士の間で並んで配置される複数のドラムを備えており、及び、各ドラムが、別個のモータドライブ及びその自身のベルトガイド又はワイヤガイドに接続されている場合には、さらなるパイプが１工程で拡張され得るので、機械の生産量が増大することが保証される。
【００１７】
請求項３に記載するように、各モータが、駆動ユニットの側プレート同士の間で延びてそこに取り付けられるシャフトであって、第１ドラムに対して駆動ギアホイールと堅固に係合するとともに他のドラムに対して複数のアイドリングギアホイールとゆるく係合するシャフトを駆動する場合には、大量のドラムが同一の駆動ユニットに組み込まれ得ることが保証される。
【００１８】
さらに、請求項４に記載するように、ドラム同士の間の距離を調整し得るように駆動ユニットを構成することが好都合である。これによって、機械が、異なる径のパイプを拡張するように調節され、それによって熱交換器が異なる形状及び生産能力を有することが保証される。
【００１９】
請求項５及び６に記載するように、鏡面反転バージョンでいずれも並んで垂直姿勢で配置される、又は、第１対が垂直姿勢にあって第２対が反転姿勢にあり、さらなる対が対応して後退姿勢に配列される鏡面反転バージョンの対として配置される、２つ以上の駆動ユニットを機械が備える場合には、機械の生産能力の大きな増大が、比較的制限された空間内で実現される。
【００２０】
請求項７に記載するように、拡張マンドレルが、中心円錐部を取り囲む少なくとも３つのシェル部分から構成される拡張ボールを備えるように構成されており、前記円錐部が中心部材上に取り付けられ、シェル部分が、当該シェル部分を所定の位置に維持するばねによってさらに取り囲まれるように構成されている場合には、パイプの拡張に適したツールが実現される。
【００２１】
このツールは、径が最小である状態でパイプ内に導入されることが可能である。この状態は、パイプの壁に対する摩擦が円錐部の狭い部分に向かってシェル部分を押し戻すので、パイプ内にマンドレルが導入される際に実現される。マンドレルが押し出される際、円錐部の厚い部分はシェル部分同士の間でさらに内側に移動させられ、その結果、マンドレルが拡張してパイプが拡張される。
【００２２】
請求項８に記載するように、拡張マンドレルが、反対圧力ばね、軸受けブシュを有する円筒部材、ストップブシュ、調整ディスク、及び、エンドナットを備える場合には、摩擦調整可能ツールが実現される。
【００２３】
さらに、請求項９に記載するように、丸い側面と、反対方向に向いた係合面と、を有するようにエンドナットを構成し、前記係合面が、シェル部分の形状に適した軸受けブシュとして構成されるとともに、１以上の調整ディスクを受け入れる凹部を有するように構成されることが好都合である。
【００２４】
エンドナットの丸い形状は、マンドレルがパイプ内に導入される際に何らの障害が生じないことを保証する。ナットの係合面の形状は、マンドレルがどの程度拡張し得るかを特定する。拡張の度合いは、図示した凹部内に１以上の調整ディスクを位置決めすることによって調整され得る。
【図面の簡単な説明】
【００２５】
図面を参照して本発明の例示の実施形態を以下にさらに十分に説明する。
【図１】本発明に係る機械の基本構造を示す平面図である。
【図１ａ】非反転及び鏡面反転の駆動ユニットを備える機械の平面図である。
【図１ｂ】機械フレーム上にどのように駆動ユニットを配置し得るかを示す側面図である。
【図２】垂直及び鏡面反転姿勢の駆動ユニットを備える機械の側面図である。
【図２ａ】他の駆動ユニットの背後に配列される駆動ユニットを備える機械の側面図である。
【図３】駆動ユニットの基本構造を示す図である。
【図４】ドラムの構造を示す図である。
【図５．１】６つのドラムを有するドラムスタック内のシャフト位置を示す図である。
【図５．２】ドラムのスタック内の駆動ギアホイール及びアイドリングギアホイールの位置の断面図である。
【図６．１】パイプ内に導入される際の拡張マンドレルの切断図である。
【図６．２】引き出される際の拡張マンドレルの切断図である。
【発明を実施するための形態】
【００２６】
本発明に係る、パイプ拡張用、特に、熱交換器のパイプ拡張用の機械を図１〜図６に示す。
【００２７】
図１はパイプ拡張用の機械１の平面図である。２つの垂直材２から機械フレームが構成されており、垂直材２、２同士の間に垂直に方向づけられたブリッジ３と水平に方向づけられたブリッジ４とが配置されている。ブリッジの高さは調整可能である。２つの垂直材同士の間で移動可能なキャリッジ５がブリッジ３上に取り付けられている。キャリッジ５はその上にさらなるキャリッジ６を配列しており、キャリッジ６は、ブリッジ３に向かって及びブリッジ３から離れて内側で移動させられ得る。複数のベルトガイド又はワイヤガイド８を有する駆動ユニット７がキャリッジ６上に取り付けられている。駆動ユニットは、側プレート９、ドラム１１及びドラムモータ１０を有するものとして図示されている。キャリッジ５、６の位置及びブリッジ３、４の位置の調整は手動で又はモータドライブによって実行されてよい。
【００２８】
図１ａは、非反転及び鏡面反転バージョンの駆動ユニット７を備える機械の平面図であり、各駆動ユニット７は４つのドラムを備える。このことは、個々の駆動ユニットの生産能力が完全に利用される際に生産能力を向上させることを可能にする。
【００２９】
図１ｂは機械の側面図である。駆動ユニット７はキャリッジ６上に取り付けられており、そしてキャリッジ６がキャリッジ５上に取り付けられている。図はさらに、駆動ユニットが、キャリッジ５上で往復運動し得るキャリッジ６によって水平方向に動かされ得ることを示している。駆動ユニットはまた、キャリッジ５及び６を有するブリッジ３の高さを調整可能であるので、垂直方向に動かされ得る。
【００３０】
図１ａ、図２及び図２ａは、様々な組み合わせで配列されるさらなる駆動ユニット７を備える機械を示している。駆動ユニットは、部分的に並んで配列されており、部分的にキャリッジ６上に垂直姿勢で相互に背後に配列されており、部分的にキャリッジ６の下側に反転姿勢で配列されている。すべての組み合わせが同時に同一の機械上で確立されてよい。これによって、最大４つのレベルの列のさらなるパイプが同時に引かれ、そのことは、例えば熱交換器のパイプの拡張において利点がある。
【００３１】
図３は駆動ユニット７の構造を示している。駆動ユニットは１セットの側プレート９から構成されており、その間に１以上のドラム１１が配列されている。一方の側プレートは、シャフト１２を有する１以上のモータ１０が取り付けられるように構成されている。他方の側プレートは、シャフトを支持するために軸受けブシュを備えている。ドラム１１はシャフト上に取り付けられており、前記ドラムは、ベルトガイド又はワイヤガイド８を有するように示されている。ガイド８は漏斗形状の開口８ａを備えている。漏斗は、例えば熱交換機上のパイプの端部を容易に捕まえ得ることを保証する。漏斗はまた、拡張マンドレルを引くときの止め具として機能する。
【００３２】
モータは、電気式で又は油圧式で駆動されてよく、可逆的である。
【００３３】
図４はドラム１１の構造を示している。ドラムは２つの側プレート１３から構成されており、その間にハブ１４及び円形案内路１５が配列されている。ハブの内側は歯付きリム１８として構成されており、そこでは１つの駆動ギアホイール１６及び２つのアイドリングギアホイール１７が歯付きリムに係合している。外側には、ハブは、ベルト又はワイヤが巻き上げられ得る溝１９を備えている。
【００３４】
円形案内路１５は、ベルトガイド又はワイヤガイド８のための開口を有する側プレート同士の間に円形に囲むように配列される複数のベアリング２０を備えている。円形ガイドの低摩擦によって、ベルト又はワイヤが可撓性であるにも拘わらず巻き解かれ得ることが保証される。
【００３５】
図５．１及び図５．２は、６つのドラムのスタックを有する駆動ユニットの駆動シャフトがどのように配列されているかを示している。図５．１は、一端から見たドラムスタックを示している。図ではＡ−Ａ切断線が示されており、断面図が図５．２に示されている。
【００３６】
図５．１は、内側に歯付きリム１８を有するハブ１４を示しており、そこにはシャフト１〜６が配列されている。
【００３７】
図５．２の断面図は、シャフト１〜６上に配列される６つのドラム１〜６を示している。
【００３８】
各ドラムは、ともにドラムのための支持体を提供する１つの駆動ギアホイールＤ及び２つのアイドリングギアホイールＭに連結されている。駆動ギアホイールＤは、凸部及び溝の配列によってそれらのそれぞれのシャフトと堅固に係合している。
【００３９】
図５．２を考慮する場合、ドラム１が、シャフト１上に駆動ギアホイールＤを有しており、シャフト５上及びシャフト３上にアイドリングギアホイールＭを有していることが分かる。図５．１は、シャフト１、５及び３が、二等辺三角形の頂点を構成するように位置決めされており、ともにドラム１を支持することを示している。
【００４０】
図５．２は、ドラム２が、シャフト２上に駆動ギアホイールＤを有するとともにシャフト６及び４上にアイドリングギアホイールＭを有することを示している。図５．２は、シャフト２、６及び４が、二等辺三角形の頂点を構成するように位置決めされており、ともにドラム２を支持することを示している。
【００４１】
図５．２を考慮する場合、すべてのドラムが３つのシャフトによって支持されており、シャフトの数がドラムの数に対応していることが分かる。
【００４２】
従って、各シャフトは、ドラム用の駆動シャフトとして、かつ、他のドラム用のアイドリングシャフトとして機能する。この構造は、材料を大いに節約することを保証すると同時に、比較的小さい空間内に多くのドラムを有する駆動ユニットを構成することを可能にする。
【００４３】
図６．１及び図６．２は拡張マンドレル２１の構造を示している。図６．１は、パイプ内に導入される際のマンドレルを示しており、図６．２は、引き出される際のマンドレルを示している。
【００４４】
マンドレル２１は、両端にねじ山を有するように構成される中実の中心部材２５から構成されている。中心部材上には拡張ボール２２が取り付けられており、拡張ボール２２は、ボウル形状の係合面３１を有するエンドナット３０と軸受けブシュ３４を有する円筒部材２８との間でマンドレル内に配列されている。円筒部材２８は、反対圧力ばね２７によって特定されるばね圧で拡張ボールに係合する。反対圧力ばねは、ストップブシュ２９によって一端にロックされる。
【００４５】
拡張ボール２２は、少なくとも３つのボールシェル部分２３を備えている。好適な実施形態では、拡張ボールは、５つのボールシェル部分を備えているものの、その数はさらに大きくてもよく、例えば最大９つのボールシェル部分を備える。
【００４６】
ボールシェル部分２３は、硬化鋼の円錐部２４を取り囲んでおり、シェル部分は、コイルばね２６によって所定の位置に維持されている。
【００４７】
図６．１に示すように、マンドレルの導入中に拡張ボールの最小径が生じ、パイプの側面に対する摩擦が、円錐部の最小径に向かって後方にシェル部分を動かす。図６．２に示すように、引くことがシェル部分同士の間の内側に円錐部を移動させるので、マンドレルが引き出される際に拡張ボールが拡張される。ボール及び従ってパイプがこれによって拡張される。
【００４８】
拡張の度合いは、いくつの調整ディスク３３が凹部３２内に配列されるかによって特定される。
【図１】
0005794578.tif 000002
【図１ａ】
0005794578.tif 000003
【図１ｂ】
0005794578.tif 000004
【図２】
0005794578.tif 000005
【図２ａ】
0005794578.tif 000006
【図３】
0005794578.tif 000007
【図４】
0005794578.tif 000008
【図５．１】
0005794578.tif 000009
【図５．２】
0005794578.tif 000010
【図６．１】
0005794578.tif 000011
【図６．２】
0005794578.tif 000012